【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
第１インクと、前記第１インクよりも明度が高い第２インクと、前記第１インクよりも明度が高く、前記第２インクよりも明度が低い第３インクと、を吐出する記録ヘッドを用いて記録媒体上に画像を記録する際に、前記画像が形成される所定領域に対して、前記記録ヘッドからのインクの吐出状態を維持するために、前記画像の記録に寄与しない予備吐出を行う記録方法であって、
予備吐出により前記所定領域に形成される前記第１インクのドットが、予備吐出により前記所定領域に形成される前記第２インクのドットと重なり、且つ、予備吐出により前記所定領域に形成される前記第３インクのドットと重ならないように記録することを特徴とする記録方法。
【請求項２】
予備吐出により形成された前記第１インクのドットと前記第２インクのドットとが重なって形成された領域の明度は、前記記録媒体上に前記第１インクのドットのみが形成された領域の明度よりも高いことを特徴とする請求項１に記載の記録方法。
【請求項３】
前記第２インクは、前記第１インクよりも先に吐出されることを特徴とする請求項１または２に記載の記録方法。
【請求項４】
前記第１インクは、ブラックの色材またはマゼンタの色材を含むインクであることを特徴とする請求項１から３のいずれか１項に記載の記録方法。
【請求項５】
前記第２インクは、イエローの色材を含むインクであることを特徴とする請求項１から４のいずれか１項に記載の記録方法。
【請求項６】
前記記録ヘッドは、前記第１インクを吐出するノズルが第１方向に配列する第１ノズル列と、前記第２インクを吐出するノズルが前記第１方向に配列する第２ノズル列とを備え、前記第１方向と交差する第２方向における前記記録ヘッドと前記記録媒体との相対移動により前記画像が記録されることを特徴とする請求項１から５のいずれか１項に記載の記録方法。
【請求項７】
前記第３インクはシアンの色材を含むインクであることを特徴とする請求項１から６のいずれか１項に記載の記録方法。
【請求項８】
第１インクと、前記第１インクよりも明度が高い第２インクと、前記第１インクよりも明度が高く、前記第２インクよりも明度が低い第３インクと、を吐出する記録ヘッドを用いて記録媒体上に画像を記録する際に、前記画像が形成される所定領域に対して、前記記録ヘッドからのインクの吐出状態を維持するために、前記画像の記録に寄与しない予備吐出を行う記録装置であって、
予備吐出により前記所定領域に形成される前記第１インクのドットが、予備吐出により前記所定領域に形成される前記第２インクのドットと重なり、且つ、予備吐出により前記所定領域に形成される前記第３インクのドットと重ならないように記録することを特徴とする記録装置。
【請求項９】
予備吐出により形成された前記第１インクのドットと前記第２インクのドットとが重なって形成された領域の明度は、前記記録媒体上に前記第１インクのドットのみが形成された領域の明度よりも高いことを特徴とする請求項８に記載の記録装置。
【請求項１０】
前記第２インクは、前記第１インクよりも先に吐出されることを特徴とする請求項８または９に記載の記録装置。
【請求項１１】
前記第１インクは、ブラックの色材またはマゼンタの色材を含むインクであることを特徴とする請求項８から１０のいずれか１項に記載の記録装置。
【請求項１２】
前記第２インクは、イエローの色材を含むインクであることを特徴とする請求項８から１１のいずれか１項に記載の記録装置。
【請求項１３】
前記記録ヘッドは、前記第１インクを吐出するノズルが第１方向に配列する第１ノズル列と、前記第２インクを吐出するノズルが前記第１方向に配列する第２ノズル列とを備え、前記第１方向と交差する第２方向における前記記録ヘッドと前記記録媒体との相対移動により前記画像が記録されることを特徴とする請求項８から１２のいずれか１項に記載の記録装置。
【請求項１４】
前記第３インクはシアンの色材を含むインクであることを特徴とする請求項８から１３のいずれか１項に記載の記録装置。
【請求項１５】
記録媒体に対応する複数の画素それぞれに対して第１インクの吐出または非吐出を定めた、前記第１インクの吐出において用いられる第１記録データと、前記記録媒体に対応する複数の画素それぞれに対して前記第１インクよりも明度の高い第２インクの吐出または非吐出を定めた、前記第２インクの吐出において用いられる第２記録データと、を生成するために、前記記録媒体に記録する画像に対応する元データを処理する画像処理方法であって、
前記元データに基づいて、（ｉ）前記複数の画素それぞれに対して前記第１インクの吐出または非吐出を定めた、前記画像のうちの前記第１インクの吐出で記録される領域に対応する第１吐出データと、（ｉｉ）前記複数の画素それぞれに対して前記第２インクの吐出または非吐出を定めた、前記画像のうちの前記第２インクの吐出で記録される領域に対応する第２吐出データと、を生成する第１生成工程と、
（ｉ）前記複数の画素それぞれに対して前記第１インクの吐出または非吐出を定めた、前記第１インクの吐出状態を維持するための予備吐出パターンに対応する第１予備吐出データと、（ｉｉ）前記複数の画素それぞれに対して前記第２インクの吐出または非吐出を定めた、前記第２インクの吐出状態を維持するための予備吐出パターンに対応する第２予備吐出データと、を生成する第２生成工程と、
（ｉ）前記第１吐出データと前記第１予備吐出データに基づいて前記第１記録データを生成し、（ｉｉ）前記第２吐出データと前記第２予備吐出データに基づいて前記第２記録データと、を生成する第３生成工程と、を有し、
前記第２生成工程において、前記第１予備吐出データによって前記第１インクの吐出が定められた画素と、前記第２予備吐出データによって前記第２インクの吐出が定められた画素と、が重畳するように、前記第１、第２予備吐出データを生成することを特徴とする画像処理方法。
【請求項１６】
前記第３生成工程において、（ｉ）前記第１吐出データと前記第１吐出データそれぞれにおいて前記第１インクの吐出が定められた画素の論理和をとることにより、前記第１記録データを生成し、（ｉｉ）前記第２吐出データと前記第２吐出データそれぞれにおいて前記第２インクの吐出が定められた画素の論理和をとることにより、前記第２記録データを生成することを特徴とする請求項１５に記載の画像処理方法。
【請求項１７】
前記第１生成工程において、前記元データに基づいて、前記複数の画素それぞれに対して、前記第１インクよりも明度が高く、前記第２インクよりも明度が低い第３インクの吐出または非吐出を定めた、前記画像のうちの前記第３インクに吐出で記録される領域に対応する第３吐出データを更に生成し、
前記第２生成工程において、前記複数の画素それぞれに対して前記第３インクの吐出または非吐出を定めた、前記第３インクの吐出状態を維持するための予備吐出パターンに対応する第３予備吐出データを更に生成し、
前記第３生成工程において、前記第３吐出データと前記第３予備吐出データに基づいて、前記複数の画素それぞれに対して前記第３インクの吐出または非吐出を定め、前記第３インクの吐出において用いられる第３記録データを更に生成し、
前記第２生成工程において、前記第３予備吐出データによって前記第３インクの吐出が定められた画素と、前記第１予備吐出データによって前記第１インクの吐出が定められた画素と、が重畳しないように、前記第１、第３予備吐出データを生成することを特徴とする請求項１５または１６に記載の画像処理方法。
【請求項１８】
記録媒体に対応する複数の画素それぞれに対して第１インクの吐出または非吐出を定めた、前記第１インクの吐出において用いられる第１記録データと、前記記録媒体に対応する複数の画素それぞれに対して前記第１インクよりも明度の高い第２インクの吐出または非吐出を定めた、前記第２インクの吐出において用いられる第２記録データと、を生成するために、前記記録媒体に記録する画像に対応する元データを処理する画像処理装置であって、
前記元データに基づいて、（ｉ）前記複数の画素それぞれに対して前記第１インクの吐出または非吐出を定めた、前記画像のうちの前記第１インクの吐出で記録される領域に対応する第１吐出データと、（ｉｉ）前記複数の画素それぞれに対して前記第２インクの吐出または非吐出を定めた、前記画像のうちの前記第２インクの吐出で記録される領域に対応する第２吐出データと、を生成する第１生成手段と、
（ｉ）前記複数の画素それぞれに対して前記第１インクの吐出または非吐出を定めた、前記第１インクの吐出状態を維持するための予備吐出パターンに対応する第１予備吐出データと、（ｉｉ）前記複数の画素それぞれに対して前記第２インクの吐出または非吐出を定めた、前記第２インクの吐出状態を維持するための予備吐出パターンに対応する第２予備吐出データと、を生成する第２生成手段と、
（ｉ）前記第１吐出データと前記第１予備吐出データに基づいて前記第１記録データを生成し、（ｉｉ）前記第２吐出データと前記第２予備吐出データに基づいて前記第２記録データと、を生成する第３生成手段と、を有し、
前記第２生成手段は、前記第１予備吐出データによって前記第１インクの吐出が定められた画素と、前記第２予備吐出データによって前記第２インクの吐出が定められた画素と、が重畳するように、前記第１、第２予備吐出データを生成することを特徴とする画像処理装置。
【請求項１９】
前記第３生成手段は、（ｉ）前記第１吐出データと前記第１吐出データそれぞれにおいて前記第１インクの吐出が定められた画素の論理和をとることにより、前記第１記録データを生成し、（ｉｉ）前記第２吐出データと前記第２吐出データそれぞれにおいて前記第２インクの吐出が定められた画素の論理和をとることにより、前記第２記録データを生成することを特徴とする請求項１８に記載の画像処理装置。
【請求項２０】
前記第１生成手段は、前記元データに基づいて、前記複数の画素それぞれに対して、前記第１インクよりも明度が高く、前記第２インクよりも明度が低い第３インクの吐出または非吐出を定めた、前記画像のうちの前記第３インクに吐出で記録される領域に対応する第３吐出データを更に生成し、
前記第２生成手段は、前記複数の画素それぞれに対して前記第３インクの吐出または非吐出を定めた、前記第３インクの吐出状態を維持するための予備吐出パターンに対応する第３予備吐出データを更に生成し、
前記第３生成手段は、前記第３吐出データと前記第３予備吐出データに基づいて、前記複数の画素それぞれに対して前記第３インクの吐出または非吐出を定め、前記第３インクの吐出において用いられる第３記録データを更に生成し、
前記第２生成手段は、前記第３予備吐出データによって前記第３インクの吐出が定められた画素と、前記第１予備吐出データによって前記第１インクの吐出が定められた画素と、が重畳しないように、前記第１、第３予備吐出データを生成することを特徴とする請求項１８または１９に記載の画像処理装置。
【手続補正２】
【補正対象書類名】明細書
【補正対象項目名】０００７
【補正方法】変更
【補正の内容】
【０００７】
このような課題を解決するため、本願発明は、第１インクと、前記第１インクよりも明度が高い第２インクと、前記第１インクよりも明度が高く、前記第２インクよりも明度が低い第３インクと、を吐出する記録ヘッドを用いて記録媒体上に画像を記録する際に、前記画像が形成される所定領域に対して、前記記録ヘッドからのインクの吐出状態を維持するために、前記画像の記録に寄与しない予備吐出を行う記録方法であって、予備吐出により前記所定領域に形成される前記第１インクのドットが、予備吐出により前記所定領域に形成される前記第２インクのドットと重なり、且つ、予備吐出により前記所定領域に形成される前記第３インクのドットと重ならないように記録することを特徴とする。